(57)【要約】【課題】適切な寿命管理が可能な照明装置を提供する。【課題を解決するための手段】  ＬＥＤ発光部発光中、エネルギー投入量と発光部温度に依存して基準クロックに基づき不揮発カウンタでＬＥＤ使用実績を積算カウントし、ＬＥＤの寿命を判定する。整流されたＡＣ電源を平滑するための電解コンデンサの平滑能力の劣化を検知することにより、電解コンデンサの寿命を判定する。判定されたＬＥＤ寿命および電解コンデンサ寿命を外部に通知する。ＬＥＤ寿命または電解コンデンサ寿命に基づいてＬＥＤ発光部を点灯不能にするか点灯中のＬＥＤ発光部を消灯させる。【選択図】図１
2011243503.tif 000002
【特許請求の範囲】
【請求項１】
発光部と、前記発光部に電力を供給する電源部と、電源部能力検知部と、前記電源部能力検知部の検知に基づいて前記電源部の寿命を判定する電源部寿命判定部とを有することを特徴とする照明装置。
【請求項２】
前記電源部は交流電力線から電力供給を受けるとともに整流部および前記整流部の出力を平滑する電解コンデンサを含み、前記電源部能力検知部は前記電解コンデンサの平滑能力の劣化を検知することを特徴とする請求項１記載の照明装置。
【請求項３】
前記電源寿命判定部の判定結果を外部に通知する通知部を有することを特徴とする請求項１または２記載の照明装置。
【請求項４】
前記電源寿命判定部の判定結果に基づいて前記発光部を制御することで判定結果を報知する制御部を有することを特徴とする請求項１から３のいずれかに記載の照明装置。
【請求項５】
前記制御部は、前記判定結果に基づいて、前記発光部による発光を不能とすることを特徴とする請求項４記載の照明装置。
【請求項６】
前記制御部は、前記判定結果に基づいて、前記発光部による発光を停止させることを特徴とする請求項４または５記載の照明装置。
【請求項７】
前記発光部はＬＥＤ発光部であることを特徴とする請求項１から６のいずれかに記載の照明装置。
【請求項８】
前記ＬＥＤ発光部の寿命を判定するＬＥＤ寿命判定部を有することを特徴とする請求項７記載の照明装置。
【請求項９】
ＬＥＤ寿命判定部は、前記電源部から前記ＬＥＤ発光部へのエネルギー投入量を積算することによりＬＥＤ寿命を判定することを特徴とする請求項８記載の照明装置。
【請求項１０】
ＬＥＤ発光部と、前記ＬＥＤ発光部に電力を供給する電源部と、前記電源部から前記ＬＥＤ発光部へのエネルギー投入量を積算することによりＬＥＤ寿命を判定するＬＥＤ寿命判定部とを有することを特徴とする照明装置。
【請求項１１】
前記ＬＥＤ寿命判定部は、前記電源部から前記ＬＥＤ発光部へのエネルギー投入量を積算する不揮発カウンタを有することを特徴とする請求項１０記載の照明装置。
【請求項１２】
前記ＬＥＤ発光部の発光を制御する制御部と、前記制御部に基準クロックを提供する基準クロック部を有し、前記ＬＥＤ寿命判定部は前記基準クロックに基づいて前記ＬＥＤ発光部へのエネルギー投入量を積算することを特徴とする請求項１０または１１記載の照明装置。
【請求項１３】
前記ＬＥＤ寿命判定部は、前記ＬＥＤ発光部へのエネルギー投入中において前記基準クロックに基づくパルスをカウントするカウンタを有することを特徴とする請求項１２記載の照明装置。
【請求項１４】
前記ＬＥＤ寿命判定部は、前記ＬＥＤ発光部への単位時間あたりのエネルギー投入量に応じて前記基準クロックに基づくパルスカウントを調整することを特徴とする請求項１３記載の照明装置。
【請求項１５】
前記ＬＥＤ発光部の温度を計測する温度計測手段を有し、前記ＬＥＤ寿命判定部は、前記温度計測手段に応じて前記基準クロックに基づくパルスカウントを調整することを特徴とする請求項１３または１４記載の照明装置。
【請求項１６】
ＬＥＤ発光部と、前記ＬＥＤ発光部に電力を供給する電源部と、前記ＬＥＤ発光部の寿命を判定するＬＥＤ寿命判定部と、前記電源部の寿命を判定する電源部寿命判定部とを有することを特徴とする照明装置。
【発明の詳細な説明】
【技術分野】
【０００１】
本発明は、照明装置に関する。
【背景技術】
【０００２】
従来種々の目的のために種々の照明装置が提案されている。照明装置に用いられる光源としては蛍光灯が一般的であるが、近年ＬＥＤの利用が進み、白色ＬＥＤを蛍光灯と互換可能に構成して一般の天井照明に用いることが提案されている。(特許文献１)  一方、照明装置の制御についても種々の提案がなされている。例えば、多数の蛍光灯にそれぞれ貼り付けられたＩＣタグシールと建物内全てを電磁波通信でカバーする単一のＩＣタグリーダライタとの通信により、各蛍光灯が使用開始から一定の寿命時間が経過するとその交換を自動的に通報することが提案されている。（特許文献２）さらに、ＬＥＤを用いた照明に関しても、ＬＥＤチップに流れる電流値と光検出素子で検出されたＬＥＤチップの光出力との関係、およびそれらの関係に経時変化レベルを対応付けた特性データに基づいてＬＥＤチップの経時変化レベルを求め。これを照明器具からコントローラに通知して表示することが提案されている。（特許文献３）
【先行技術文献】
【特許文献】
【０００３】
【特許文献１】特開２００４−３３５４２６号公報
【特許文献２】特開２００６−８５３４４号公報
【特許文献３】特開２０１０−３４２４０号公報
【発明の概要】
【発明が解決しようとする課題】
【０００４】
しかしながら、照明装置の寿命管理に関しては、さらに検討すべき課題が多い。
【０００５】
本発明の課題は、上記に鑑み、適切な寿命管理が可能な照明装置を提供することにある。
【課題を解決するための手段】
【０００６】
上記課題を達成するため、本発明は、発光部と、発光部に電力を供給する電源部と、電源部能力検知部と、電源部能力検知部の検知に基づいて電源部の寿命を判定する電源部寿命判定部とを有する照明装置を提供する。これによって、長期間使用可能な照明装置を安全に使用することが可能となる。
【０００７】
本発明の具体的な特徴によれば、電源部は交流電力線から電力供給を受けるとともに整流部および整流部の出力を平滑する電解コンデンサを含み、電源部能力検知部は電解コンデンサの平滑能力の劣化を検知する。これにより、電源部で特に問題となる電解コンデンサの適切な寿命管理が可能となる。
【０００８】
本発明の他の具体的な特徴によれば、照明装置は、電源寿命判定部の判定結果を外部に通知する通知部を有する。これによって、寿命判定結果の多様かつ適切な管理が可能となるとともに、また、他の具体的な特徴によれば、照明装置は、電源寿命判定部の判定結果に基づいて発光部を制御することで判定結果を報知する制御部を有する。これによって直感的な照明装置の寿命到来を認知することができる。より具体的な特徴によれば、制御部は、判定結果に基づいて、発光部による発光を不能とするか又は発光部による発光を停止させる。
【０００９】
上記本発明は、発光部がＬＥＤ発光部であるときに好適である。ＬＥＤ発光部は蛍光灯などに比べ寿命が長く、明るさの経年変化が問題にならない場合は電源部の寿命よりも長く使用することが可能であり、照明装置が寿命の到来に気付かずに使われ続ける可能性もある。上記の本発明の特徴は、このような長期間使用可能な照明装置を安全に使用する上で有意義である。またより具体的な特徴によれば、照明装置は、ＬＥＤ発光部の寿命を判定するＬＥＤ寿命判定部を有し、経年変化によりＬＥＤの明るさが低下していることに気付かず使用を続けることによる健康上の不都合等を防止する。
【００１０】
本発明の他の特徴によれば、ＬＥＤ発光部と、ＬＥＤ発光部に電力を供給する電源部と、電源部からＬＥＤ発光部へのエネルギー投入量を積算することによりＬＥＤ寿命を判定するＬＥＤ寿命判定部とを有する照明装置が提供される。これによって、経年変化によりＬＥＤの明るさが低下していることに気付かず使用を続けることによる健康上の不都合等が適切に防止される。
【００１１】
上記本発明の具体的な特徴によれば、ＬＥＤ寿命判定部は、電源部からＬＥＤ発光部へのエネルギー投入量を積算する不揮発カウンタを有する。これによって、停電や照明装置の移設等のために電源供給が一時的に断たれても使用実績を適切に積算して寿命をカウントすることができる。
【００１２】
他の具体的な特徴によれば、照明装置は、ＬＥＤ発光部の発光を制御する制御部と、制御部に基準クロックを提供する基準クロック部を有し、ＬＥＤ寿命判定部は基準クロックに基づいてＬＥＤ発光部へのエネルギー投入量を積算する。これによって簡単な構成で適切に寿命カウントを行うことができる。より具体的な特徴によれば、ＬＥＤ寿命判定部は、ＬＥＤ発光部へのエネルギー投入中において基準クロックに基づくパルスをカウントするカウンタを有する。
【００１３】
さらに具体的な特徴によれば、ＬＥＤ寿命判定部は、ＬＥＤ発光部への単位時間あたりのエネルギー投入に応じて基準クロックに基づくパルスカウントを調整する。また、他の具体的な特徴によれば、照明装置は、ＬＥＤ発光部の温度を計測する温度計測手段を有し、ＬＥＤ寿命判定部は、温度計測手段に応じて基準クロックに基づくパルスカウントを調整する。これによって、よりＬＥＤの経年変化の実績に近い寿命カウントが可能となる。
【００１４】
本発明の他の特徴によれば、ＬＥＤ発光部と、ＬＥＤ発光部に電力を供給する電源部と、ＬＥＤ発光部の寿命を判定するＬＥＤ寿命判定部と、電源部の寿命を判定する電源部寿命判定部とを有する照明装置が提供する。これによって、ともに寿命の長いＬＥＤ発光部と電源部の寿命を適切に管理することが可能となる。
【発明の効果】
【００１５】
上記のように、本発明によれば、適切な寿命管理の可能な照明装置を提供することができる。
【図面の簡単な説明】
【００１６】
【図１】本発明の実施の形態に係るＬＥＤ照明システムの実施例を示すブロック図である。
【図２】図１のＬＥＤ照明装置の詳細構成を示すブロック図である。
【図３】図１および図２に示した照明制御部の基本機能を示すフローチャートである。
【図４】図３のステップＳ４の詳細を示すフローチャートである。
【図５】図３のステップＳ２６の詳細を示すフローチャートである。
【図６】図３のステップＳ３２の詳細を示すフローチャートである。
【図７】図１に示したリモコン制御部の機能を示すフローチャートである。
【発明を実施するための形態】
【００１７】
図１は、本発明の実施の形態に係るＬＥＤ照明システムの実施例を示すブロック図である。実施例の照明システムは、天井２に設けられた照明器具４、６、火災報知機８およびこれらを共通に制御するためのリモートコントローラ（以下、適宜「リモコン」と略称）１０等を含む。事業用のオフィスなどにおける実施の場合、天井２には多数の照明器具が配置されるが、図１では、簡単のため照明器具を２つだけ代表として図示している。照明器具４、６および火災報知機８は電力線１２から給電を受ける。一方、リモートコントローラ１０は電池駆動式である。また、照明器具４、６および火災報知機８は、後述するように赤外線無線通信または近距離電波無線通信によりリモートコントローラ１０と交信する。なお、リモートコントローラ１０を室壁等に固定して電力線駆動式とした場合は、電力線１２を介した電力線通信（ＰＬＣ）により照明器具４、６および火災報知機８とリモートコントローラ１０の交信を行うよう構成することも可能である。
【００１８】
ＬＥＤ照明装置４は、寿命が尽きた時にそれぞれ天井２から取り外し交換可能なよう構成されており、照明光源として白色ＬＥＤ群１４を有する。白色ＬＥＤ群１４は、電力線１２に接続される電源部１６から給電されるとともにＬＥＤ制御部１８により調光制御されて発光する。なお、電源部１６は、白色ＬＥＤ群１４だけでなく、ＬＥＤ照明装置４の各部に所定電圧の電源を供給する。照明制御部２０は基準クロック２２および所定のプログラムによって動作するマイクロコンピュータを有し、赤外無線通信部２４が受信するリモコン信号に基づいてＬＥＤ制御部１８による白色ＬＥＤ群のオンオフおよび調光を指示するとともにＬＥＤ照明装置４の寿命管理を行う。なお無線通信部２４は近距離電波通信部として構成してもよい。
【００１９】
ＬＥＤ寿命判定部２６は、照明制御部２０からＬＥＤ制御部１８へのオンオフ並びに調光の指示信号、白色ＬＥＤ１４の温度および基準クロック２２に基づいて、白色ＬＥＤ群の寿命を判定し、その結果を照明制御部２０に伝達する。また、電解コンデンサ寿命判定部２８は、電源部１６における整流平滑能力および基準クロック２２に基づいての電源部１６に含まれる電解コンデンサの寿命を判定し、その結果を照明制御部２０に伝達する。そして照明制御部２０は寿命が尽きたと判断した場合、ＬＥＤ制御部１８に白色ＬＥＤ群を消灯させる指示を出す。なお、ＬＥＤ照明装置６の構成はＬＥＤ照明装置４と共通なので図中の番号付与および説明は省略する。
【００２０】
上記のような寿命判定および管理の詳細構成については後述するが、ここでその意義について説明する。まず、通常の蛍光灯管に比べて格段に長い寿命を持つＬＥＤ照明装置は長期間交換不要であるという長所を持つ反面、前回の交換に関する記憶または記録が消失する可能性も高く、次回交換時期の管理をどうするかが問題となる。さらに、通常の蛍光灯管では、その寿命末期において点灯状態に明らかな異常が表れるかまたは点灯不能状態となるので交換の必要性は明確にわかる。これに対し、ＬＥＤ照明装置では長期間の使用によって徐々に明るさが低下するだけで、明らかな異常状態や点灯不能状態が生じない。従って、そのような照明下で作業や生活をしている人間にとっては明るさの低下がわからず、気づかないうちに照度不足の不健康な環境下で作業や生活をしているという結果に陥る可能性もある。上記の寿命判定と管理はこのような事態への対策の意義を持つ。
【００２１】
火災報知機８は、電力線１２に接続されて火災報知機８の各部に所定電圧の電源を供給する電源部３０を有する。なお、電源部３０は電池駆動式のものとして構成してもよい。報知器制御部３２は、温度・煙・炎センサ３４による検知に基づいて異常時に音警報部３６および光警報部３８から警報を発する。また、報知器制御部３２に接続された無線通信部は異常状態を外部に発信するとともに、火災警報器８のテストを行う際の外部との交信を行う。報知器制御部３２には、火災報知機８本来の機能のための電源部３０から共通に給電される受光部３５が設けられており、室内の照度を検知する。受光センサ３５による室内の照度情報は、後述のようにＬＥＤ照明装置４、５の自動調光のための情報となる。また、電源部３０により給電される受光部３５を調光のために日常的に使用することにより、異常状態が発生しない限り長期間動作することがない火災報知機８の電源部３０が日常的にチェックされ、いざというときに動作しないような事態を防止する。
【００２２】
リモートコントローラ１０は、手動操作を行うための操作部４２を有し、リモコン制御部４４は操作部４２の操作に基づいて赤外無線通信部４６を制御し、赤外光４８および／または赤外光５０をＬＥＤ照明装置４および／またはＬＥＤ照明装置６の無線通信部にそれぞれ送信させる。なお、無線通信部２４および無線通信部４６が近距離電波通信部として構成される場合、赤外光４８および赤外光５０は電波と読替えて理解するものとする。これらの通信部は、リモートコントローラ１０からＬＥＤ照明装置４、６への一方向の指示だけでなく、双方向通信が可能であり、ＬＥＤ照明装置４、６の寿命に関する情報をリモートコントローラ１０で受信し、これを表示部５２で表示することも可能である。また、上記の双方向通信機能および表示部５２の表示機能は、寿命判定部のテストにおいても活用される。さらに、表示部５２は、通常の点灯や調光制御の際において、操作部４２と連携し他グラフィカルユーザインタフェース(ＧＵＩ)にも活用される。さらに、リモートコントローラ１０は、火災報知機８の受光部３５からの室内の照度情報を自動調光情報としてＬＥＤ照明装置４、５に中継する。
【００２３】
リモートコントローラ１０はさらに、火災報知機８のテストのためにも兼用される。テストの際には、操作部４２および表示部５２によるＧＵＩ操作に基づき、リモコン制御部４４が無線通信部４６に赤外線５４によるテスト指示信号の送信を指示する。送信されたテスト指示信号は、火災報知機８の無線通信部４０によって受信される。これに基づいて、報知器制御部３２は所定のテストを実行し、無線通信部４０に赤外線５４によるテスト結果信号の送信を指示する。赤外線５４によるテスト結果信号はリモートコントローラ１０によって受信され、リモコン制御部４４の制御によって表示部５２に表示される。また、このような火災報知機８のテストは、ＬＥＤ照明装置４、６のテストと連携して行われる。その詳細については後述する。
【００２４】
図２は、図１のＬＥＤ照明装置の詳細構成を示すブロック図である。図１と同じ部分には同じ番号を付し、必要のない限り説明を省略する。電源部１６は、電力線１２の交流をトランス５６で降圧するとともに全波整流器５８で整流し、これを電解コンデンサ６０で平滑して直流電源回路６２に供給する。直流電源回路６２と接地の間には白色ＬＥＤ群１４、スイッチ素子６４および定電流源が直列で接続されている。そして、スイッチ素子６４のオンオフをＰＷＭ制御部６８で制御することによって白色ＬＥＤ群の点灯・消灯および点灯時の調光が行われる。ＰＷＭ制御部６８によるＰＷＭ制御のデューティーサイクルは、照明制御部２０からの指示信号に基づきデューティー制御部７０から与えられる。なお、デューティーサイクルゼロは消灯を意味する。
【００２５】
ＬＥＤ寿命判定部２６の不揮発カウンタ７２は、照明制御部２０から点灯信号（デューティーゼロ以外の信号）が出力されているとき開かれるゲート７４を介し、可変分周部７６で分周した基準クロック２２からのクロックパルスをカウントする。これによって不揮発カウンタ７２は、白色ＬＥＤの点灯時間を累積カウントして記憶する。不揮発カウンタ７２は、白色ＬＥＤ群が寿命（例えば、同一入力で発光するときの明るさが新品時点の７０％に低下）に達したと看做される時間に該当するパルス数をカウントしたときオーバーフローパルスを照明制御部２０に出力することでＬＥＤ寿命の判定とする。
【００２６】
可変分周部７６には、照明制御部２０からの点灯信号が入力され、点灯信号のデューティーサイクルが大きいほど出力パルスの周波数を高くして不揮発カウンタ７２のカウントが早く進むようにする。これによって白色ＬＥＤ群に流れる電流エネルギーが大きいほど寿命が早く到来する状況に対応する。また、白色ＬＥＤ群１４の放熱板７８にはサーミスタ８０が設けられ、白色ＬＥＤ群１４の発熱状態を検知する。可変分周部７６には、サーミスタ８０の検知温度が入力され、温度が高いほど出力パルスの周波数を高くして不揮発カウンタ７２のカウントが早く進むようにする。これによって白色ＬＥＤ群１４の発熱温度が高いほど寿命が早く到来する状況に対応する。
【００２７】
電解コンデンサ寿命判定部２８の比較器８２は、検知抵抗８４の分圧を基準電圧と比較し、電解コンデンサ６０の平滑能力が低下して脈流状態となった分圧の低電圧部分が基準電圧を下回るようになったとき脈流に同期した出力を発生する。カウンタ８４はこれをカウントし、そのオーバーフローパルスを照明制御部２０に出力することで電界コンデンサ寿命の判定とする。なお、カウンタ８４のリセット端子には分周部８６で基準クロック２２からのクロックパルスが入力される。これによってカウンタ８４は定期的にリセット（例えばカウンタ８４のオーバフローが１２８パルスカウントで発生するよう構成した場合、１秒に一回リセット）され、比較器からの脈流に基づくパルスが１秒弱程度続かない限りカウンタ８４のオーバフローが生じないようにする。これによって、電解コンデンサ６０の平滑能力が確実に低下している状態をもって寿命とするとともに、検知抵抗８４の分圧が一時的に低下した場合などのノイズパルスを累積カウントして寿命到来と判断するなどの誤動作を防止する。
【００２８】
図３は、図１および図２に示した照明制御部２０の基本機能を示すフローチャートである。フローは、リモートコントローラ１０からの点灯信号、または寿命判定機能テスト信号などの諸操作信号が受信されることによりスタートする。フローがスタートするとステップＳ２で点灯信号を受信したのかどうかがチェックされ、点灯信号受信であればステップＳ４に進んで寿命判定チェック処理を行い、ステップＳ６に進む。ステップＳ４の寿命判定チェック処理は、電界コンデンサの寿命が尽きた旨、またはＬＥＤの寿命が尽きた旨の判定がなされているかどうかのチェック処理であるがその詳細は後述する。
【００２９】
ステップＳ６では、ステップＳ４の寿命判定チェックの結果、電解コンデンサ寿命が尽きた旨の判定が行われていたかどうかをチェックし、該当する判定がなされていなければステップＳ８に進んで、ステップＳ４の寿命判定チェックの結果、電解コンデンサ寿命が尽きた旨の判定が行われていたかどうかをチェックする。そしてＬＥＤの寿命が尽きている旨の判定がなされている場合はステップＳ１０に進み、ステップＳ２で受信が確認された点灯信号が、ＬＥＤの寿命が尽きてＬＥＤ照明装置が消灯されてから所定時間（例えば３０秒）内の点灯信号かどうかチェックする。これは、後述する即時消灯モードにおいて点灯中のＬＥＤ照明装置が寿命の尽きたことにより突然消灯した場合、所定時間内であれば点灯操作を行うことにより再点灯させるためのものである。
【００３０】
ステップＳ１０に該当する操作でない場合、ステップＳ１２に進み、ステップＳ２で受信が確認された点灯信号が、前回操作後所定時間（例えば１秒）内に受信されたものかどうかチェックする。これは、ＬＥＤの寿命が尽きている旨の判定がなされ、通常の点灯操作ではＬＥＤ照明装置が点灯しない場合であっても、１秒以内の間隔で連続操作するという特殊な操作を行うことによって点灯を可能とするためのものである。ステップＳ１２に該当する操作であればステップＳ１４に進み、ＬＥＤの寿命が尽きている旨の判定がなされた後、所定回（例えば５回）以内の操作かどうかチェックする。これは、使用の便のため、ＬＥＤの寿命が尽きても連続操作という特殊な操作による点灯を許すものの、その回数に一定の制限を設け、ＬＥＤの寿命が尽きたにもかかわらず延々と点灯操作が続けられるのを防止するためのものである。
【００３１】
ステップＳで操作が所定回以内のときはステップＳ１６に進み、操作信号の受信回数を一回分インクリメントするとともにステップＳ１８に進んでＬＥＤの点灯を実行する。一方、ステップＳ８でＬＥＤの寿命が尽きた旨の判定がなされていなかったときは直接ステップＳ１８に進み、直ちにＬＥＤの点灯を実行する。また、ステップＳ１０で、ＬＥＤが寿命により消灯されてから所定時間以内の点灯信号であることが確認された場合も直接ステップＳ１８に進んでＬＥＤの点灯を実行する。
【００３２】
ステップＳ１８でＬＥＤの点灯が実行されるとステップＳ２０に進み、点灯中において電解コンデンサまたはＬＥＤの寿命が尽きた旨の判定信号が発生したかどうかチェックする。そして寿命が尽きた旨の判定信号が発生するとステップＳ２２でこの判定結果を記憶するとともに、リモートコントローラ１０に送信し、ステップＳ２４に移行する。ステップＳ２４では、寿命が尽きた旨の判定信号が発生すると即時にＬＥＤの消灯を行うモードに設定されているかどうかのチェックを行う。即時消灯モードでなければこの時点での消灯を実行せず、ステップＳ２６に進む。なお、寿命が尽きた旨の判定はステップＳ２２で記憶されているので、次回点灯操作を行ったときにこれがステップＳ４のチェックにより確認され、ステップＳ１０またはステップＳ１２およびステップＳ１４に該当するとき以外は点灯ができなくなる。一方、ステップＳ２０で寿命が尽きた旨の信号の発生がないときは直接ステップＳ２６に移行する。
【００３３】
ステップＳ２６では自動または手動による調光に対応するための調光処理を行う。その詳細は後述する。そして調光処理が完了するとステップＳ２８に進み、リモートコントローラ１０から消灯信号を受信したかどうかチェックする。消灯信号の受信がなければステップＳ２０に戻り、以下、消灯信号が受信されず、かつ即時消灯モードにおいて寿命が尽きた旨の信号が発生されない限りステップＳ２０から２８を繰り返し、調光制御または寿命状態の変化に対応する。これに対し、ステップＳ２８で消灯信号の受信が確認されたときはステップＳ３０に移行する。なお、ステップＳ２で点灯信号の受信が確認されないときもステップＳ３０に移行する。
【００３４】
ステップＳ３０では、寿命判定テスト信号や後述の擬似寿命尽リセット信号などの諸操作による信号を受信したかどうかチェックする。そして、これらの信号の受信が確認されればステップＳ３２の諸操作処理を行ってフローを終了する。一方、ステップＳ３０において諸操作信号の受信が確認されない場合は直ちにフローを終了する。
【００３５】
ここで、ステップＳ６において電解コンデンサの寿命が尽きた旨の判定がなされたときはステップＳ３４に移行し、「不点灯」の旨をリモートコントローラ１０に送信して直ちにフローを終了する。ここでＬＥＤの寿命が尽きた場合と比較すると、この場合は単に発光量不足となるだけであり、緊急性はないので当面の使用の便を優先し、既に説明したように一定の制限のもとで再点灯を許可していた。しかしながら、電解コンデンサの寿命が尽きた場合は、使用を続けることで発火等不測の事態を招く万一の可能性を考慮し、上記のようにＬＥＤの寿命が尽きた場合と差をつけて再点灯を可能にする手段を設けない。
【００３６】
なお、上記とも関連するが、ＬＥＤの寿命が尽きた場合においてステップＳ１２で前回操作後所定時間内の点灯信号であることが検知されなかったときは、ステップＳ３６に進み、連続操作をすれば所定回数まで点灯が可能である旨の案内表示の指示信号をリモートコントローラ１０に送信してステップＳ３４に移行する。これに対し、ステップＳ１４で所定回以上の連続操作による点灯であることが検知されたときは直ちにステップＳ３４に移行する。いずれにしても点灯操作に応じた点灯の実行は行われない。また、ステップＳ２４で即時消灯モードであったときは、ステップＳ３８に移行してＬＥＤの即時消灯を実行するとともに、ステップＳ４０で所定時間内に点灯操作すれば再点灯可能である旨の案内表示の指示信号をリモートコントローラ１０に送信してステップＳ３４に移行する。
【００３７】
図４は、図３のステップＳ４における寿命判定チェック処理の詳細を示すフローチャートである。フローがスタートすると、ステップＳ４２で電解コンデンサの寿命が尽きた旨の判定記憶の有無がチェックされる。この記憶がなければステップＳ４４に移行し、ＬＥＤの寿命が尽きた旨の判定記憶の有無がチェックされる。そしてこの記憶があることが確認されるとステップＳ４６に進み、この自らのＬＥＤ照明装置におけるＬＥＤ寿命尽判定記憶をまず活性化させた上でステップＳ４８に移行する。
【００３８】
次いで、ステップＳ４８ではリモートコントローラ１０経由で他のＬＥＤ照明装置の情報を取得し、ステップＳ５０にて他のＬＥＤ照明装置においてＬＥＤ寿命が尽きた旨の情報の有無をチェックする。そして該当する情報があればステップＳ５２で他のＬＥＤ照明装置においてＬＥＤ寿命が尽きた旨の情報のタイムスタンプが自らのＬＥＤ照明装置におけるＬＥＤ寿命が尽きた旨の情報のタイムスタンプよりも先行しているかどうかチェックする。この結果、他のＬＥＤ照明装置のタイムスタンプが先行していればステップＳ５４に進み、自らのＬＥＤ照明装置におけるＬＥＤ寿命尽判定記憶をまず不活性化してフローを終了する。
【００３９】
上記のように寿命判定チェックフローでは、同室内にある他のＬＥＤ照明装置との間の情報交換により、より先にＬＥＤの寿命の尽きたＬＥＤ照明装置があるかぎり、当面は消灯による寿命尽の報知をそのＬＥＤ照明装置に任せ、自らのＬＥＤ照明装置におけるＬＥＤ寿命尽判定記憶についてはこれを不活性化し、寿命は尽きていないものとして点灯を許可する。このようにして、同室内において複数のＬＥＤ照明装置がＬＥＤ寿命尽のために同時に消灯してしまうことを防止し、最もタイムスタンプの古いもののみを代表として消灯させることにより寿命が尽きたことを告知する。そして、より古いＬＥＤ照明装置が交換されて自らのＬＥＤ照明装置のタイムスタンプが最も古い状態となったとき、ＬＥＤの寿命が尽きた旨の判定記憶を活性化させ、消灯を実行する。
【００４０】
一方、ステップＳ４２において電解コンデンサの寿命が尽きた場合は、複数のＬＥＤ照明装置が同時に消灯する不便よりも安全性を優先し、自らのＬＥＤ照明装置において電解コンデンサの寿命が尽きている旨の記憶は常に活性化しておく。なお、ステップＳ４４においてＬＥＤの寿命が尽きている旨の記憶がない場合は直ちにフローを終了する。あた、ステップＳ５０において他のＬＥＤ照明装置におけるＬＥＤ寿命尽の情報がない場合、またはステップＳ５２でＬＥＤの寿命が尽きたタイムスタンプがより古い他のＬＥＤ照明装置がない場合は、ステップＳ４６における自らのＬＥＤ照明装置のＬＥＤ寿命尽記憶の活性化を維持してフローを終了する。
【００４１】
図５は、図３のステップＳ２６における調光処理の詳細を示すフローチャートである。フローがスタートすると、ステップＳ６２で、火災報知機８に対し、リモートコントローラ１０を介して照度信号の要求を行う。そしてステップＳ６４に進み、受光部３５によって測定された照度信号の応答が火災報知機８からリモートコントローラ１０を介して着信したかチェックする。応答が着信すればステップＳ６６に進んでＬＥＤ照明装置４が自動調光モードに設定されているかどうかチェックする。そして自動調光モードであればステップＳ６８に進み、火災報知機８で測定された室内照度が所定以上かどうかチェックする。この結果、室内照度が所定以上であればステップＳ７０に進み、現在のデューティー信号を記憶するとともにこれに代えてステップＳ７２で省エネデューティー信号を出力し、ステップＳ７４に移行する。なお、省エネデューティー信号は、通常、ステップＳ７０で記憶されるデューティー信号より小さいデューティーサイクルを指示するもので、室内が所定以上明るくて照明による補助の必要性が低い時、ＬＥＤ照明装置からの発光を自動的に抑えて省エネに寄与するものである。
【００４２】
一方、ステップＳ６８で室内照度が所定以上であることが検知されないときはステップＳ７６に進み、現在省エネデューティーサイクルが適用されているかどうかチェックする。そして省エネデューティーサイクルであればステップＳ７８に進み、省エネデューティーサイクルが適用される前に記憶されたデューティー信号を読み出して出力してステップＳ７４に移行する。一方、ステップＳ７６で省エネデューティーサイクルの適用が検知されないときは直接ステップＳ７４に移行する。このように、室内の明るさが所定以下であるときは、通常デューティーサイクルでの点灯を行うとともに省エネデューティーが適用されていたときは通常デューティーサイクルでの点灯に復帰する。なお、ステップＳ６６で自動調光モードであることが検知されない場合は、ステップＳ６４で応答のあった照度信号にかかわらず自動調光を行わず直接ステップＳ７４に移行する。
【００４３】
また、ステップＳ６４で照度信号の応答が検知されなかったときは、火災報知機８の受光部３５を機能させるための給電に問題があるものと考えられる。そして、受光部３５は温度・煙・炎センサなど火災報知機８本来の機能部分への給電と共通の電源部３０から給電されているので、受光部３５への給電に問題があれば火災報知機８本来の機能部分への給電にも問題があるものと考えられる。そこで、ステップＳ６４で照度信号の応答が検知されなかったときは、ステップＳ８０に移行し、「火災報知機電源異常」の旨をリモートコントローラ１０に送信してステップＳ７４に移行する。このように火災報知機８に設けられた受光部３５を調光のために使用することで、長期間動作しないことが望まれる性質にある火災報知機の動作を日常的にチェックし、いざというときに動作しないような事態を防止する。
【００４４】
ステップＳ７４では、リモートコントローラ１０の操作部４２の操作に基づいて発生される手動調光信号を受信したかどうかをチェックする。そして手動調光信号の受信があれば、ステップＳ８２に進み、手動設定に基づく新たなデューディーサイクル信号を出力してフローを終了する。以上のように調光処理ではＬＥＤ照明装置の明るさを自動または手動で変化させることができるが、自動調光モードで室内照度が所定以上明るいときは、省エネデューティーが優先する。また、自動調光モードの設定に係わらず照度信号による火災報知機８のチェックは常に行われる。
【００４５】
図６は、図３のステップＳ３２における諸操作処理の詳細を示すフローチャートである。フローがスタートすると、まずステップＳ９２において、リモートコントローラ１０から受信した操作信号が寿命判定機能のテストを指示する信号であるかどうかをチェックする。機能テスト信号であれば、まずステップＳ９４でＬＥＤ寿命判定部２６の機能をチェックする。このチェックは、例えば、基準クロックから可変分周部７６およびゲート７４へのパルスの通過テスト、可変分周部７６の分周率変更機能テスト、およびカウント値を一時退避させた上での不揮発カウンタ７２のカウント進行およびオーバフローテストなどを含む。
【００４６】
さらに、ステップＳ９６では、電解コンデンサ寿命判定部２８の機能をチェックする。このチェックは、例えば、比較器８２の比較機能チェック、カウンタ８４のカウント進行、リセットおよびオーバフローテストなどを含む。そしてこれらの機能チェック結果に基づき、ステップＳ９８では、すべての寿命判定部機能が正常だったかどうかの確認を行う。そして何らかの異常があればステップＳ１００に進み、電解コンデンサの寿命が尽きた擬似状態をセットしてステップＳ１０２に進む。一方、ステップＳ９８ですべての寿命判定部機能が正常であることが確認されたときは、何もせずに直接ステップＳ１０２に進む。
【００４７】
上記においてステップＳ１００でセットされた電解コンデンサ寿命尽の擬似状態は、これがステップＳ６でチェックされた場合、フローをステップＳ３４に移行させる機能を持つ。この場合は、寿命判定部機能が正常でないときは点灯操作を行ってもＬＥＤ照明装置が点灯しなくなる。また、電解コンデンサ寿命尽の擬似状態がステップＳ２０でチェックされた場合、即時消灯モードであればステップＳ２４経由でフローがステップＳ３８に移行させられる。この場合、寿命判定部機能が異常であることでテスト操作により点灯中のＬＥＤ照明装置が即時消灯することになる。いずれの場合も、このようなＬＥＤ照明装置の不点灯または消灯により、寿命判定部機能の異常が認識漏れのない形で報知される。
【００４８】
さらに、ステップＳ１０２では、ステップＳ９４およびステップＳ９６のそれぞれのチェックに基づくＬＥＤおよび電解コンデンサの寿命判定機能のテスト結果が具体的にリモートコントローラ１０に送信し、ステップＳ１０４に移行する。リモートコントローラ１０はこの情報を表示部５２に表示するので、テスト操作を行った者はその結果を具体的に知ることができる。なお、ステップＳ９２において、リモートコントローラ１０から受信した操作信号が寿命判定機能のテストを指示する信号であることが検知されないとき、フローは直接ステップＳ１０４に移行する。
【００４９】
ステップＳ１０４では、リモートコントローラ１０から受信した操作信号が擬似寿命尽リセット信号であるかどうかをチェックする。そして該当すればステップＳ１０６に進み、セットされている電解コンデンサ擬似寿命尽状態をリセットしてフローを終了する。一方、受信した操作信号が擬似寿命尽リセット信号でないときは直ちにフローを終了する。ステップＳ１００でセットされる電解コンデンサ擬似寿命尽状態は上記のようにＬＥＤ照明装置を不点灯とするか消灯させるので、その原因がわかり、とりあえずＬＥＤ照明装置を点灯させる場合にはこれをリセットすることにより点灯を可能とすることができる。ステップＳ１０４で検知されるリセット信号はこのような目的で手動操作によりリモートコントローラ１０から送信されて来るものである。
【００５０】
図７は、図１に示したリモコン制御部４４の機能を示すフローチャートである。フローは、ＬＥＤ照明装置４、６や火災報知機８を操作するための操作部４２の操作、または無線通信部４６によるＬＥＤ照明装置４、６や火災報知機８からの信号受信によりスタートする。フローがスタートすると、まずステップＳ１１２において点灯操作があったかどうかがチェックされる。そして点灯操作であればステップＳ１１４に進んで点灯信号をＬＥＤ照明装置４およびＬＥＤ照明装置６に送信してステップＳ１１６に移行する。一方、ステップＳで点灯操作が検知されない場合は直接ステップＳ１１６に移行する。
【００５１】
ステップＳ１１６では、ＬＥＤ照明装置４、６等のいずれかから「不点灯」の旨を示す信号が受信されたかどうかチェックする。そして受信があればステップＳ１１８に進み、受信されている寿命尽判定結果を表示部４２で表示する。次いで、ステップＳ１２０で「点灯操作案内」を行う旨の信号がＬＥＤ照明装置４、６等から受信されているかどうかをチェックする。そして、受信があればステップＳ１２２に進んで「所定時間内に連続操作すれば点灯が可能である」旨の表示を表示部５２に指示し、ステップＳ１２４に移行する。一方、ステップＳ１２０において「点灯操作案内」を行う旨の信号の受信が検知されないときは直接ステップＳ１２４に移行する。
【００５２】
ステップＳ１２４では、寿命判定機能テスト結果に基づいてセットされる擬似寿命尽状態によってＬＥＤ照明装置が不点灯または消灯状態になっているときにこれをリセットする操作が行われたかどうかチェックし、操作があればステップＳ１２６に進んで擬似寿命尽状態をリセットする信号を該当するＬＥＤ証明装置に送信してステップＳ１２８に移行する。一方、ステップＳ１２４でリセット操作が検知されないときは直接ステップＳ１２８に移行する。
【００５３】
また、上記ステップＳ１１６で「不点灯」の旨を示す信号の受信が検知されないときも、直接ステップＳ１２８に移行する。従って、この場合はステップＳ１２２における案内表示がなされることはなく、無用の表示による混乱が避けられる。また、ステップＳ１２４における擬似寿命尽リセット操作のチェックが行われることがないので、擬似寿命尽リセットの誤操作に応答して機能が混乱することもない。
【００５４】
ステップＳ１２８では、ＬＥＤ照明装置の寿命判定機能をテストする操作が行われたかどうかをチェックする。この操作が検知されないときはステップＳ１３０に進み、火災報知機をテストする操作が行われたかどうかチェックする。そして、ステップＳ１２８で寿命判定機能テスト操作が検知された場合であっても、ステップＳ１３０で火災報知機テスト操作が検知された場合であっても、いずれもステップＳ１３２に進み、ＬＥＤ照明装置４、６に寿命判定機能テスト信号を送信するとともに、火災報知機８に火災報知機テスト信号を送信する。さらに、ステップＳ１３４では、ＬＥＤ照明装置４、６および火災報知機８からそれぞれ機能テストの結果を受信するとともに表示部５２でこれらを並列表示する処理を行い、ステップＳ１３６に移行する。一方、ステップＳ１２８およびステップＳ１３０でいずれのテスト操作も検知されないときは直接ステップＳ１３６に移行する。
【００５５】
上記のように、図７のフローでは、いずれのテスト操作が行われた場合でもＬＥＤ照明装置の寿命判定機能のテストおよび火災報知機のテストを必ずペアで行い、その結果を並列表示する。ＬＥＤ照明装置寿命の到来および火災報知機による火災報知は、いずれも通常長期間生じないことが望ましいが、いざと言う時に機能する保証のためにはテストが欠かせない。上記の構成は、一方のテストを意識せずに他方のテストを行ったとしても両者をペアで実施して表示することで、両者の正常動作の確認機会を増やすとともに、一方のテストの実施が等閑視されないよう相互に注意喚起する意義がある。なお、ステップＳ１２８およびステップＳ１３０はそれぞれ手動による操作の検知機能であるが、これに加え、所定期間（例えば半年に一回）経過毎に自動的にステップＳ１３２を実行し、両テスト信号を送信するよう構成してもよい。この場合も、ステップＳ１３４による両テスト結果の並列表示により、両テストの必要性がペアで注意喚起される。なお、照明装置の電源部の異常は火災の原因となる可能性があり、火災報知機はその結果としての万一場合の報知に関するので、両者の連携は有意義なものである。
【００５６】
ステップＳ１３６では、「火災報知機電源異常」がＬＥＤ照明装置４、６から受信されているかどうかチェックする。そして受信があればステップＳ１３８に移行して「火災報知機電源異常」の旨を表示してステップＳ１４０に移行する。一方、ステップＳ１３６での信号受信検知がなければ直接ステップＳ１４０に移行する。ステップＳ１４０では、所定時間操作または信号受信がない状態が続いているかどうかチェックし、該当すればフローを終了する。一方、所定時間内に何らかの操作または信号受信があればステップＳ１１２に戻り、以下、所定時間操作または信号受信がない状態とならない限り、ステップＳ１１２からステップＳ１４０を繰り返す。
【００５７】
本発明の種々の特徴は、上記の実施例における実施に限定されるものではなく、その利点を活用した他の実施が可能である。例えば、上記の実施例では、ＬＥＤまたは電解コンデンサの寿命が尽きた旨を報知するのにＬＥＤを点灯させないかまたは点灯中のＬＥＤを消灯させる構成としているが、これに代えて、ＬＥＤまたは電解コンデンサの寿命が尽きた際には、ＬＥＤの点滅など通常点灯とは異なる異常点灯状態としてこれを報知するよう構成してもよい。また、ＬＥＤの寿命が尽きた場合と電解コンデンサ寿命が尽きた場合とで異常点灯状態の点滅周期を変えるなどし、両者を識別可能に報知するよう構成することも可能である。さらに、寿命検知機能に異常がある場合のＬＥＤの異常点灯態様をＬＥＤまたは電解コンデンサ寿命が尽きた場合の異常点灯態様とことならしめ、機能異常を識別可能に報知するよう構成することも可能である。
【００５８】
また、上記の実施例におけるようなＬＥＤへのエネルギー供給状態の積算カウントによるＬＥＤ寿命の検知に代え、ＬＥＤの発光状態を実際にモニタする受光部を設けてＬＥＤへのエネルギー供給とＬＥＤからの発光との関係に基づいてＬＥＤ寿命を検知するよう構成した場合であっても、上記本発明のＬＥＤ寿命検知後における種々の特徴を適用することができる。さらに、電解コンデンサ寿命に関連する上記本発明の種々の特徴は、蛍光等照明装置などＬＥＤ照明装置以外の照明装置にも適用することが可能である。
【産業上の利用可能性】
【００５９】
本発明は、例えばＬＥＤ照明装置や電解コンデンサを有する照明装置に適用することができる。
【符号の説明】
【００６０】
１４  発光部
１６  電源部
８４  電源部能力検知部
１６  電源部寿命判定部
５８  整流部
６０  電解コンデンサ
２４  通知部
２０  制御部
１４  ＬＥＤ発光部
２６  ＬＥＤ寿命判定部
７２  不揮発カウンタ
２２  基準クロック部
８０  温度計測手段    
【図１】
2011243503.tif 000003
【図２】
2011243503.tif 000004
【図３】
2011243503.tif 000005
【図４】
2011243503.tif 000006
【図５】
2011243503.tif 000007
【図６】
2011243503.tif 000008
【図７】
2011243503.tif 000009